(57)【要約】【課題】蓋材として破断し易いフィルムと表面保護シートとの積層体を使用したプレススルーパック包装体（ＰＴＰ包装体）において、この表面保護シートを剥離し易いＰＴＰ包装体を提供すること。【解決手段】蓋材２０を、破断容易なプレススルー層２１と、破断困難な表面保護シート２３とを、接着樹脂層２２を介して、剥離容易に積層して構成する。そして、内容物収容凹部Ａ相互の間の位置に、容器本体１０と蓋材２０とを貫通する第１の切り込み線ａを設け、この第１の切り込み線の近傍において、接着樹脂層２２に第２の切り込み線ｂを設ける。第１の切り込み線でＰＴＰ包装体を折り曲げたとき、その周囲の接着樹脂層が破壊され、その切断端部において、表面保護シートとプレススルー層との間に隙間ができる。この隙間を利用して、表面保護シートをプレススルー層から容易に剥離除去できる。【選択図】図２
2019014492.tif 000002
【特許請求の範囲】
【請求項１】
プラスチックシートを深絞り成形して多数の内容物収容凹部を形成した容器本体と、多数のこれら内容物収容凹部のそれぞれに収容した固形内容物と、多数のこれら内容物収容凹部の全体を閉塞する蓋材とから成るプレススルーパック包装体において、
前記蓋材が、破断容易なプレススルー層と、破断困難な表面保護シートとを、接着樹脂層を介して、剥離容易に積層して構成されており、
多数の前記内容物収容凹部相互の間の位置に、前記容器本体と蓋材とを貫通する切り込み線（第１の切り込み線）を有すると共に、この第１の切り込み線の近傍において、前記接着樹脂層に脆弱化処理が施されていることを特徴とするプレススルーパック包装体。
【請求項２】
接着樹脂層の前記脆弱化処理が、前記接着樹脂層に設けられた切り込み線（第２の切り込み線）から成ることを特徴とする請求項１に記載のプレススルーパック包装体。
【請求項３】
前記第２の切り込み線が、前記容器本体から前記接着樹脂層に達する切り込み線から成ることを特徴とする請求項２に記載のプレススルーパック包装体。
【請求項４】
前記容器本体に設けられた切り込み線（第３の切り込み線）であって、蓋材に到達しない切り込み線が閉曲線状に設けられていることを特徴とする請求項１〜３のいずれかに記載のプレススルーパック包装体。
【請求項５】
前記第３の切り込み線が端部近傍に設けられていることを特徴とする請求項４に記載のプレススルーパック包装体。
【請求項６】
前記プレススルー層がプラスチックフィルムとシーラント層との積層体から成り、かつ、このプラスチックフィルムに脆弱化処理が施されていることを特徴とする請求項１〜５のいずれかに記載のプレススルーパック包装体。
【請求項７】
プラスチックフィルムの前記脆弱化処理が、プラスチックフィルムに多数の微細な孔を設ける処理であることを特徴とする請求項６に記載のプレススルーパック包装体。
【請求項８】
前記表面保護シートがガスバリア性を有することを特徴とする請求項１〜７のいずれかに記載のプレススルーパック包装体。
【発明の詳細な説明】
【技術分野】
【０００１】
本発明はプレススルーパック包装体（ＰＴＰ包装体）に関する。特に、本発明は、幼児等が不用意に内容物を取り出すことのないＰＴＰ包装体を提供するものである。
【背景技術】
【０００２】
ＰＴＰ包装体は周知であり、例えば医薬品の錠剤等の包装体として広く利用されている。
【０００３】
このＰＴＰ包装体は、図４及び図５に示すようなものである。なお、図４はＰＴＰ包装体の平面図、図５は図４ｘ’−ｘ’線における要部断面図である。
【０００４】
すなわち、ＰＴＰ包装体１００’は容器本体１０’と蓋材２０’とで構成されるものである。容器本体１０’は、軟質のプラスチックシートを深絞り成形して内容物収容凹部Ａ’を形成したもので、多数のこれら内容物収容凹部Ａ’に錠剤等の固形内容物Ｂ’を収容する。なお、多数のこれら内容物収容凹部Ａ’の間の位置にはミシン目ａ’を設けている。また、蓋材２０’は、破断し易いフィルムで構成されたもので、この蓋材２０’により、多数の内容物収容凹部Ａ’の全体を閉塞する。そして、このＰＴＰ包装体１００’は、指等により内容物収容凹部Ａ’の底部から押圧することにより、固形内容物Ｂ’が蓋材２０’を突き破って開封することができる。あるいは、前記ミシン目ａ’により個々の内容物収容凹部Ａ’又は複数の内容物収容凹部Ａ’ごとに切断した後、蓋材２０’を突き破って開封することもできる。なお、蓋材２０’としては、アルミニウム箔にラッカーを塗布したものやセロハンが用いられていることが多い。
【０００５】
ところで、このＰＴＰ包装体１００’は、指等で押圧するだけで開封して固形内容物Ｂ’を取り出すことができるから、その取り扱いが極めて容易である。一方、同じ理由から、例えば幼児等が開封して固形内容物Ｂ’を取り出し、この固形内容物Ｂ’を過って飲み込むおそれが指摘されていた。
【０００６】
このような不用意な事故を防ぐため、特許文献１〜３は固形内容物Ｂ’の取り出しに追加の作業を要するＰＴＰ包装体が提案している。これら特許文献１〜３は、いずれも、前記蓋材２０’として、破断し易いフィルム２１’に破断し難い表面保護シート２３’を積層した積層体を使用したもので、これらフィルム２１’と表面保護シート２３’とは剥離容易に積層されている。図６はその要部断面図である。
【０００７】
そこで、このＰＴＰ包装体を開封する際には、まず、ミシン目で個々の内容物収容凹部Ａ’又は複数の内容物収容凹部Ａ’ごとに切断することを要する。次に、表面保護シート２３’を剥離除去する。そして、指等により内容物収容凹部Ａ’の底部から押圧することにより、固形内容物Ｂ’が蓋材２０’を突き破って開封することができる。
【０００８】
以上のように、このＰＴＰ包装体は、単に内容物収容凹部Ａ’の底部から押圧するだけでは開封することができず、内容物を取り出すことができないから、前述のような事故を防止することが可能である。
【先行技術文献】
【特許文献】
【０００９】
【特許文献１】実開昭６２−１８５２６２号公報
【特許文献２】実開平０１−０８２１７１号公報
【特許文献３】実開平０１−１５６０３１号公報
【発明の概要】
【発明が解決しようとする課題】
【００１０】
ところで、このように表面保護シートを使用したＰＴＰ包装体においては、ミシン目でＰＴＰ包装体を切断したときに、その切り口においても、破断し易いフィルム２１’と表面保護シート２３’とが密着しているから、表面保護シート２３’をフィルム２１’から剥離除去することが困難であるという問題があった。
【００１１】
そこで、本発明は、蓋材として破断し易いフィルムと表面保護シートとの積層体を使用したＰＴＰ包装体において、この表面保護シートを剥離し易いＰＴＰ包装体を提供することを目的とする。
【課題を解決するための手段】
【００１２】
すなわち、請求項１に記載の発明は、プラスチックシートを深絞り成形して多数の内容物収容凹部を形成した容器本体と、多数のこれら内容物収容凹部のそれぞれに収容した固形内容物と、多数のこれら内容物収容凹部の全体を閉塞する蓋材とから成るプレススルーパック包装体において、
前記蓋材が、破断容易なプレススルー層と、破断困難な表面保護シートとを、接着樹脂層を介して、剥離容易に積層して構成されており、
多数の前記内容物収容凹部相互の間の位置に、前記容器本体と蓋材とを貫通する切り込み線（第１の切り込み線）を有すると共に、この第１の切り込み線の近傍において、前記接着樹脂層に脆弱化処理が施されていることを特徴とするプレススルーパック包装体である。
【００１３】
次に、請求項２に記載の発明は、接着樹脂層の前記脆弱化処理が、前記接着樹脂層に設けられた切り込み線（第２の切り込み線）から成ることを特徴とする請求項１に記載のプレススルーパック包装体である。
【００１４】
次に、請求項３に記載の発明は、前記第２の切り込み線が、前記容器本体から前記接着樹脂層に達する切り込み線から成ることを特徴とする請求項２に記載のプレススルーパック包装体である。
【００１５】
次に、請求項４に記載の発明は、前記容器本体に設けられた切り込み線（第３の切り込み線）であって、蓋材に到達しない切り込み線が閉曲線状に設けられていることを特徴とする請求項１〜３のいずれかに記載のプレススルーパック包装体である。
【００１６】
次に、請求項５に記載の発明は、前記第３の切り込み線が端部近傍に設けられていることを特徴とする請求項４に記載のプレススルーパック包装体である。
【００１７】
次に、請求項６に記載の発明は、前記プレススルー層がプラスチックフィルムとシーラント層との積層体から成り、かつ、このプラスチックフィルムに脆弱化処理が施されていることを特徴とする請求項１〜５のいずれかに記載のプレススルーパック包装体である。
【００１８】
次に、請求項７に記載の発明は、プラスチックフィルムの前記脆弱化処理が、プラスチックフィルムに多数の微細な孔を設ける処理であることを特徴とする請求項６に記載のプレススルーパック包装体である。
【００１９】
次に、請求項８に記載の発明は、前記表面保護シートがガスバリア性を有することを特徴とする請求項１〜７のいずれかに記載のプレススルーパック包装体である。
【発明の効果】
【００２０】
本発明のＰＴＰ包装体においては、まず、蓋材が、破断容易なプレススルー層と破断困難な表面保護シートとで構成されているから、このＰＴＰ包装体を開封して内容物を取り出すためには、表面保護シートを剥離除去した後プレススルー層を破断する必要がある。このため、幼児等による不用意な事故を防ぐことができる。なお、プレススルー層と表面保護シートの両者を一括して剥離することによって開封することもできるが、この作業も同様に幼児等には困難である。
【００２１】
次に、本発明のＰＴＰ包装体においては、内容物収容凹部相互の間の位置に容器本体と蓋材とを貫通する切り込み線（第１の切り込み線）が設けられているから、この第１の切り込み線でＰＴＰ包装体を折り曲げることにより、個々の内容物収容凹部又は第１の切り込み線で区画された一群の内容物収容凹部に切断できる。ところで、この第１の切り込み線の近傍の位置では、接着樹脂層に脆弱化処理が施されているから、第１の切り込み線でＰＴＰ包装体を折り曲げたとき、この第１の切り込み線の周囲の接着樹脂層が破壊され、この結果、表面保護シートがプレススルー層から浮き上がる。すなわち、その切断端部においては、表面保護シートとプレススルー層との間にわずかな隙間ができるから、この隙間を利用して、表面保護シートをプレススルー層から容易に剥離除去できるのである。
【００２２】
次に、請求項４に記載のＰＴＰ包装体においては、このＰＴＰ包装体に含まれる多数の前記内容物収容凹部の全部を一括して開封することができる。すなわち、このＰＴＰ包装体においては、第３の切り込み線が設けられており、この第３の切り込み線は容器本体に設けられているが、蓋材には到達していない。そして、この第３の切り込み線は閉曲線状に設けられているから、この閉曲線状の第３の切り込み線に囲まれた領域を押し上げ部として、この押し上げ部を容器本体側から押し上げると、表面保護シートとプレススルー層とを含む蓋材全体が容器本体から剥離する。そして、こうして剥離した押し上げ部の蓋材を掴んで、ＰＴＰ包装体に含まれる内容物収容凹部の全部を一括して開封することができる。このため、薬剤師等が調剤するため一括して取り出す際に便利である。なお、前述のように、第３の切り込み線は閉曲線状に設けられており、このため、この第３の切り込み線に囲まれた押し上げ部はＰＴＰ包装体の端部に達していないから、幼児等が不用意に蓋材全体を剥離して開封する事故も防止できる。
【図面の簡単な説明】
【００２３】
【図１】図１は本発明のＰＴＰ包装体の具体例を示す平面図である。
【図２】図２は本発明のＰＴＰ包装体の具体例に係り、図２（ａ）はその要部断面図、図２（ｂ）は内容物収容凹部の一部を開封する開封工程を示す要部断面図である。
【図３】図３は本発明のＰＴＰ包装体の具体例に係り、図３（ａ）はその要部断面図、図３（ｂ）は内容物収容凹部の全部を一括して開封する開封工程を示す要部断面図である。
【図４】図４は従来のＰＴＰ包装体を示す平面図である。
【図５】図５は従来のＰＴＰ包装体の要部断面図である。
【図６】図６は従来のＰＴＰ包装体の要部断面図である。
【発明を実施するための形態】
【００２４】
以下、図面を参照して本発明を説明する。図１は本発明のＰＴＰ包装体の具体例を示す平面図である。また、図２（ａ）は内容物収容凹部の一部を開封する際に利用する部分の要部断面図であり、図２（ｂ）はその開封工程を示す要部断面図である。なお、図３（ａ）は、内容物収容凹部の全部を一括して開封する際に利用する部分の要部断面図、図３（ｂ）はその開封工程を示す要部断面図である。
【００２５】
本発明のＰＴＰ包装体１００は、容器本体１０、固形内容物Ｂ及び蓋材２０とで構成されるものである。
【００２６】
容器本体１０は、軟質のプラスチックシートを深絞り成形して多数の内容物収容凹部Ａを形成したものである。この例では、２行４列の８個の内容物収容凹部Ａを形成している。
【００２７】
プラスチックシートは単層構造又は多層構造のものであってよい。単層構造のプラスチックシートとしては、ポリ塩化ビニル、ポリエチレン、ポリプロピレン、ポリスチレン、ポリエチレンテレフタレート、ポリアミド、ポリカーボネート等を例示することができる。また、これら単層構造のプラスチックシートに、ポリ塩化ビニリデン（ＰＶＤＣ）、エチレンービニルアルコール共重合体（ＥＶＯＨ）等のガスバリア性樹脂を塗布して多層構造としたものであってもよい。また、絞り成型の後、酸化ケイ素あるいは酸化アルミニウム等の無機蒸着膜を積層してガスバリア性を付与することもできる。なお、深絞り成形としては、真空成形、圧空成形、プレス成形等を挙げることができる。
【００２８】
次に、固形内容物Ｂはこの内容物収容凹部Ａのそれぞれに収容するもので、例えば、錠剤、トローチ剤、カプセル剤等の医薬品製剤、あるいはカレールー等の固形調味料、チョコレート、キャンデー、菓子等の食品を例示することができる。
【００２９】
次に、蓋材２０は、多数の内容物収容凹部Ａの全体を閉塞するものである。この例では計８個の内容物収容凹部Ａが設けられているから、これら８個の内容物収容凹部Ａの全てを閉塞するように、容器本体１０にヒートシールされている。
【００３０】
なお、この蓋材２０は、内容物収容凹部Ａを閉塞するだけでなく、これら内容物収容凹部Ａの周囲に位置する容器本体１０の周辺部まで含めて容器本体１０にヒートシールされていることが望ましい。このように容器本体１０の周辺部まで含めてヒートシールされている場合には、後述するように、この周辺部に第３のスリットｃを設けて、蓋材２０全体を一括して剥離して、多数の内容物収容凹部Ａの全てを一括開封することが可能となる。
【００３１】
ところで、この蓋材２０は、破断容易なプレススルー層２１、接着樹脂層２２、破断困難な表面保護シート２３の三者を必須の構成要素として構成されているものである。
【００３２】
プレススルー層２１と表面保護シート２３とは接着樹脂層２２を介して剥離容易に積層されており、このため、表面保護シート２３を剥離除去した後、常法に従って、指等により内容物収容凹部Ａの底部から押圧することにより、固形内容物Ｂがプレススルー層２１を突き破って開封することができる。
【００３３】
このプレススルー層２１は破断容易なフィルムであれば任意のフィルムを使用することができる。また、破断容易なフィルムにシーラント層を積層した積層体をプレススルー層２１としてもよい。この例では、破断容易なフィルム２１ｂにシーラント層２１ａを積層した積層体を使用している。
【００３４】
破断容易なフィルム２１ｂとしては、アルミウム箔、セロハン等を使用できる。また、脆弱化処理を施したプラスチックフィルムを使用してもよい。プラスチックフィルムとしては、単層構造又は多層構造のプラスチックフィルムを使用することができる。例えば、ポリ塩化ビニル、ポリエチレン、ポリプロピレン、ポリスチレン、ポリエチレンテレフタレート、ポリアミド、ポリカーボネート等のプラスチックフィルム、あるいはこれらを積層した積層フィルムである。また、脆弱化処理としては、これらプラスチックフィルムに多数の微細孔を穿孔する処理を挙げることができる。この微細孔は、１０００μｍ×１０
００μｍの面積範囲内に少なくと１つ以上設けられていれば十分である。また、その微細孔同士の間の距離は１００μｍ以上でよく、微細孔同士の間の距離の１０点の平均値が５００μｍ以上でよい。
【００３５】
なお、この脆弱化処理は、内容物収容凹部Ａに対面する位置、すなわち、内容物収容凹部Ａの底部から押圧して、固形内容物Ｂがプレススルー層２１を突き破る位置に施されていればよく、プラスチックフィルムの全面に施す必要はない。
【００３６】
次に、シーラント層２１ａは、容器本体１０にヒートシールして、内容物収容凹部Ａを閉塞する役割を有するものである。また、このシーラント層２１ａはフィルム２１ｂの破断容易を阻害しないものである必要がある。例えば、ポリエチレン樹脂やポリプロピレン樹脂を溶剤に分散させて塗布することにより、このシーラント層２１ａを形成することが可能である。あるいはアクリル系ヒートシールニスや酢酸ビニル系ヒートシールニスを塗布してシーラント層２１ａを形成してもよい。
【００３７】
次に、表面保護シート２３は、幼児等による不用意な開封を防止する機能を有するものである。このため、幼児等が内容物収容凹部Ａの底部から押圧したとき、破断しない程度の強度を有することが必要である。
【００３８】
この表面保護シート２３も単層構造又は多層構造のプラスチックシートで構成することができる。例えば、ポリ塩化ビニル、ポリ塩化ビニリデン、ポリエチレン、ポリプロピレン、ポリスチレン、ポリエチレンテレフタレート、ポリアミド、ポリカーボネート、ポリビニルアルコール、エチレン−ビニルアルコール共重合体等の樹脂フィルム、あるいはこれらを積層した積層フィルムである。
【００３９】
なお、固形内容物Ｂの保存性を高めるため、この表面保護シート２３はガスバリア性を有することが望ましい。例えば、ポリ塩化ビニリデン、ポリビニルアルコール、エチレン−ビニルアルコール共重合体のフィルムである。
【００４０】
また、ガスバリア性を有する表面保護シート２３として、金属蒸着膜又は無機蒸着膜を有するシートを使用することもできる。金属蒸着膜としては、アルミニウム、銅、鉄等の蒸着膜を例示できる。無機蒸着膜としては、酸化ケイ素や酸化アルミニウム等の蒸着膜を例示できる。そして、前述の樹脂フィルムを蒸着基材としてこの無機蒸着膜を設けた蒸着シートを表面保護シート２３として使用すればよい。もちろん、この蒸着シートとその他の樹脂シートとを積層して構成した多層構造のシートを表面保護シート２３として用いることもできる。この例では、図２（ａ）に示すように、蒸着シート２３ｂとポリプロピレンシート２３ａを積層して表面保護シート２３としている。
【００４１】
なお、金属蒸着膜又は無機蒸着膜に加えて、金属アルコキシドの硬化物の層を有するシートを表面保護シート２３としてもよい。この硬化物層は、金属アルコキシドを塗布し、加熱して乾燥させると共に金属アルコキシドを硬化させることによって形成できる。金属アルコキシドに加えて、水溶性樹脂やシランカップリング剤を混合して塗布硬化させてもよい。金属アルコキシドとしては、一般式Ｍ（ＯＲ）ｎ（Ｍは、Ｓｉ、Ａｌ、Ｔｉ、Ｚｒ等の金属原子、ＲはＣＨ３またはＣ２Ｈ５等のアルキル基、ｎは金属元素の酸化数）で表される化合物が使用でき、中でも、金属原子ＭがＳｉ、Ａｌ、Ｔｉのいずれかから成る金属アルコキシドが好ましい。例えば、テトラエチルオルソシリケート（化学式：Ｓｉ（ＯＣ２Ｈ５）４）、トリイソプロピルアルミニウム（化学式：Ａｌ（ＯＣ３Ｈ７）３）等である。水溶性樹脂としては、ポリビニルアルコールが使用でいる。シランカップリング剤は、官能基として、ビニル基、エポキシ基、スチリル基、メタクリル基、アミノ基、ウレイド基、メルカプト基、スルフィド基、イソシアネート基等を有するものであってもよい。
【００４２】
次に、接着樹脂層２２は、プレススルー層２１と表面保護シート２３とを剥離容易に接着するものである。これらプレススルー層２１と表面保護シート２３との間の剥離強度は１０Ｎ／１５ｍｍ以下であることが望ましい。この接着樹脂層２２としては、例えばポリエチレン、ポリプロピレン等のポリオレフィン樹脂を使用することができる。
【００４３】
そして、このポリオレフィン樹脂を溶融状態で押出して、この溶融したポリオレフィン樹脂を介してプレススルー層２１と表面保護シート２３とを圧着することにより、これらを剥離容易に積層することができる。
【００４４】
次に、本発明のＰＴＰ包装体１００は、図１及び図２（ａ）に示すように、内容物収容凹部Ａと内容物収容凹部Ａとの間の位置に、第１の切り込み線ａを有している。この第１の切り込み線ａは、この位置でＰＴＰ包装体１００を折り曲げることにより、ＰＴＰ包装体１００の切断を可能とするものである。このため、第１の切り込み線ａは容器本体１０と蓋材２０の両者を貫通している必要がある。なお、この第１の切り込み線ａは、容器本体１０と蓋材２０とが分離しないように、例えば破線状に設けることが望ましい。
【００４５】
第１の切り込み線ａは、内容物収容凹部Ａのうちの１つをその他の内容物収容凹部Ａから区画するものであってもよい。この場合には、ＰＴＰ包装体１００を折り曲げることによりＰＴＰ包装体１００が切断され、単一の内容物収容凹部Ａがその他の内容物収容凹部Ａから分離される。このため、第１の切り込み線ａは、ＰＴＰ包装体１００を横断して、その端から端まで達する直線状に設けることが望ましい。
【００４６】
また、第１の切り込み線ａは、複数の内容物収容凹部Ａを一群の内容物収容凹部Ａとして、この一群の内容物収容凹部Ａをその他の内容物収容凹部Ａから区画するものであってもよい。この例では、２行４列の内容物収容凹部Ａを、その列ごとに、すなわち、同じ列に属する２個の内容物収容凹部Ａを一群の内容物収容凹部Ａとして区画するように第１の切り込み線ａが設けられている。このため、この例では、第１の切り込み線ａで折り曲げたとき、同じ列に属する２個の内容物収容凹部Ａがその他の内容物収容凹部Ａから分離される。
【００４７】
ところで、この第１の切り込み線ａの位置においては、接着樹脂層２２に脆弱化処理が施されている。このため、第１の切り込み線ａでＰＴＰ包装体１００を折り曲げたとき、第１の切り込み線の周囲の接着樹脂層が破壊され、この結果、表面保護シートがプレススルー層２１から浮き上がる。すなわち、その切断端部においては、表面保護シート２３とプレススルー層２１との間にわずかな隙間ができる。
【００４８】
脆弱化処理は、第１の切り込み線ａを挟む両側のうち、その一方に施してもよいし、両側に施してもよい。いずれにしても、この脆弱化処理を施した位置で、前記折り曲げに伴って接着樹脂層２２が破壊され、表面保護シート２３とプレススルー層２１との間にわずかな隙間ができる。
【００４９】
この脆弱化処理としては、例えば、接着樹脂層２２に第２の切り込み線ｂを設ける処理を挙げることができる。図２（ａ）に示すように、この例は、第１の切り込み線ａに近接した位置に、この第２の切り込み線ｂを設けた例である。
【００５０】
この第２の切り込み線ｂは、第１の切り込み線ａに平行に、すなわち、直線状に設けることが望ましい。また、この第２の切り込み線ｂは実線状であってよいが、破線状であってもよい。
【００５１】
また、この第２の切り込み線ｂは、接着樹脂層２２を貫通している必要はない。第１の切り込み線ａでＰＴＰ包装体を折り曲げたとき、第１の切り込み線ａの近傍で接着樹脂層２２が破壊されれば十分である。また、この第２の切り込み線ｂの本数は任意でよい。
【００５２】
また、この第２の切り込み線ｂは接着樹脂層２２に設ければよいが、シーラント層２１ａから接着樹脂層２２に達する切り込み線として設けることができる。なお、前述のように、第１の切り込み線ａは容器本体１０と蓋材２０とを貫通して設けられるが、第２の切り込み線ｂは表面保護シート２３に達してはならない。
この例は、図１及び図２から分かるように、第１の切り込み線ａを挟む両側に、それぞれ、２本ずつ、第１の切り込み線ａに平行な直線状の第２の切り込み線ｂを設けた例である。そして、この第２の切り込み線ｂは、シーラント層２１ａから接着樹脂層２２の内部に達している。
【００５３】
そして、このように第１の切り込み線ａに近接して第２の切り込み線ｂを設けたＰＴＰ包装体１００においては、これを折り曲げたとき、図２（ｂ）に示すように、第１の切り込み線ａの近傍で接着樹脂層２２が破壊され、その一部２２ｘが表面保護シート２３に付着してプレススルー層２１から分離される。この結果、表面保護シート２３がプレススルー層２１から浮き上がる。すなわち、その切断端部においては、表面保護シート２３とプレススルー層２１との間にわずかな隙間ができるのである。
【００５４】
そして、この隙間を利用して、浮き上がった表面保護シート２３の端部をつかみ、表面保護シート２３をプレススルー層２１から容易に剥離除去できる。なお、手指の訓練が未熟な幼児等にあっては、この表面保護シート２３の端部をつかむことが困難であるから、これら幼児等による不用意な開封を防止することができる。
【００５５】
次に、図１及び図３（ａ）に示すように、このＰＴＰ包装体１００には第３の切り込み線ｃも設けられている。この第３の切り込み線ｃは、内容物収容凹部Ａの全部を一括して開封する際に利用するものである。
【００５６】
この第３の切り込み線ｃは任意の位置に設けてよいが、内容物収容凹部Ａの全部を一括して開封する際の便宜のため、ＰＴＰ包装体１００の端部ｄの近傍に設けることが望ましい。この例では、図示右側の端部ｄの近傍に第３の切り込み線ｃを設けている。
【００５７】
この第３の切り込み線ｃは、容器本体１０に設けて、しかも、蓋材２０には到達しないように設けることが望ましい。第３の切り込み線ｃは容器本体１０を貫通する必要はないが、貫通していることが望ましい。この場合であても、蓋材２０に到達してはならない。
【００５８】
また、この第３の切り込み線ｃは、閉曲線状に設けることが望ましい。図示の例は、第３の切り込み線ｃを長方形状に設けたものである。
【００５９】
このように、蓋材２０に到達しない第３の切り込み線ｃを閉曲線状に容器本体１０に設けた場合には、この第３の切り込み線ｃに囲まれた領域を押し上げ部Ｃとして、この押し上げ部Ｃを容器本体１０側から押し上げることにより、表面保護シート２３とプレススルー層２１とを含む蓋材２０全体が容器本体から剥離する（図３（ｂ）参照）。この押し上げ作業は、例えばペン先等によって可能である。なお、第３の切り込み線ｃが、ＰＴＰ包装体１００の端部ｄに配置されている場合には、図３（ｂ）に図示のように、このＰＴＰ包装体１００の端部ｄに至るまで、蓋材２０が容器本体から剥離する。
【００６０】
そして、こうして剥離した蓋材２０の端部ｄをつまみとして蓋材２０を引き上げること
により、蓋材２０を剥離除去して、多数の内容物収容凹部Ａの全てを一括して開封することができる。このため、薬剤師等が調剤するため固形内容物を一括して取り出す際に便利である。調理師がカレールー等の固形調味料を一括して取り出す際にも便利である。
【００６１】
なお、前述のように、第３の切り込み線ｃは閉曲線状に設けられており、このため、この第３の切り込み線ｃに囲まれた押し上げ部ＣはＰＴＰ包装体の端部１００に達していないから、手指の訓練が未熟な幼児等にあっては、この押し上げ部Ｃを押し上げることは困難であり、これら幼児等が不用意に蓋材２０全体を剥離して開封する事故を防止することができる。
【符号の説明】
【００６２】
１００：プレススルーパック包装体（ＰＴＰ包装体）
１０：容器本体
２０：蓋材
２１：プレススルー層    ２１ａ：シーラント層    ２１ｂ：破断容易なフィルム
２２：接着樹脂層
２３：表面保護シート    ２３ａ：ポリプロピレンシート    ２３ｂ：蒸着シート
ａ：第１の切り込み線
ｂ：第２の切り込み線
ｃ：第３の切り込み線
ｄ：端部
Ａ：内容物収容凹部
Ｂ：固形内容物
Ｃ：押し上げ部
【図１】
2019014492.tif 000003
【図２】
2019014492.tif 000004
【図３】
2019014492.tif 000005
【図４】
2019014492.tif 000006
【図５】
2019014492.tif 000007
【図６】
2019014492.tif 000008